(57)【要約】【課題】本発明は、楽な姿勢で簡単にボールマークを直すことができるボールマーク修復具を提供することを目的とするものである。【解決手段】本発明は、中央の取付部と両側に垂設した接続部からなるコの字型の左支持体と、前記左支持体の取付部に複数の差込ピンが下方に突出するように押さえ板で固定した左刃と、前記左支持体に対向させた中央の取付部と両側に垂設した接続部からなるコの字型の右支持体と、前記右支持体の取付部に複数の差込ピンが下方に突出するように押さえ板で固定した右刃と、前記左支持体の接続部と前記右支持体の接続部を一部重ね合わせて回動可能に連結する軸材と、前記左支持体から棒材を上方に延ばし先端にグリップを形成した左アームと、前記右支持体から棒材を上方に延ばし先端にグリップを形成した右アームとからなることを特徴とするボールマーク修復具の構成とした。【選択図】図１
2010172289.tif 000002
【特許請求の範囲】
【請求項１】
中央の取付部と両側に垂設した接続部からなるコの字型の左支持体と、前記左支持体の取付部に複数の差込ピンが下方に突出するように押さえ板で固定した左刃と、前記左支持体に対向させた中央の取付部と両側に垂設した接続部からなるコの字型の右支持体と、前記右支持体の取付部に複数の差込ピンが下方に突出するように押さえ板で固定した右刃と、前記左支持体の接続部と前記右支持体の接続部を一部重ね合わせて回動可能に連結する軸材と、前記左支持体から棒材を上方に延ばし先端にグリップを形成した左アームと、前記右支持体から棒材を上方に延ばし先端にグリップを形成した右アームとからなり、前記左刃と前記右刃をグリーン面のボールマークの周囲に差し込み前記左アームを左方に前記右アームを右方に開くことで芝生を中央に寄せて前記ボールマークを修復することを特徴とするボールマーク修復具。
【請求項２】
左支持体と右支持体で囲まれた中央にボールマークの位置を確認するための開口部を形成したことを特徴とする請求項１に記載のボールマーク修復具。
【請求項３】
左刃及び右刃を交換可能又は突出長を調整可能に取り付けることを特徴とする請求項１又は２に記載のボールマーク修復具。
【発明の詳細な説明】
【技術分野】
【０００１】
本発明は、ゴルフにおいて球の衝撃によるグリーン面の損傷を補修するボールマーク修復具に関する。
【背景技術】
【０００２】
ゴルフのプレイ中にボールの落下等によりグリーン上に生じたボールマークは直すのがマナーであり、足が２本付いたフォークのような形状をしたグリーンフォークが従来技術として知られている。
【０００３】
ボールマーク脇の芝に４５度くらいの角度でグリーンフォークを差し、取っ手を押し出してフォークを立てるような感じで中心に持って行く作業を周囲から行い、最後にパター等で上から押して平らにする。
【０００４】
また、特許文献１に記載されているように、グリーン陥没部の周囲の土を中心に寄せる操作を立ったままの姿勢で芝生の根を傷めずに行えるグリーン陥没部の修復器具の発明も公開されている。
【発明の概要】
【発明が解決しようとする課題】
【０００５】
しかしながら、グリーンフォークでボールマークを修復する場合は、小型であるためボールマークを直し過ぎると手が痛くなったり、しゃがんで作業するために腰が痛くなったりするという課題がある。
【０００６】
そこで、本発明は、楽な姿勢で簡単にボールマークを直すことができるボールマーク修復具を提供することを目的とするものである。
【課題を解決するための手段】
【０００７】
上記の課題を解決するために、本発明は、中央の取付部と両側に垂設した接続部からなるコの字型の左支持体と、前記左支持体の取付部に複数の差込ピンが下方に突出するように押さえ板で固定した左刃と、前記左支持体に対向させた中央の取付部と両側に垂設した接続部からなるコの字型の右支持体と、前記右支持体の取付部に複数の差込ピンが下方に突出するように押さえ板で固定した右刃と、前記左支持体の接続部と前記右支持体の接続部を一部重ね合わせて回動可能に連結する軸材と、前記左支持体から棒材を上方に延ばし先端にグリップを形成した左アームと、前記右支持体から棒材を上方に延ばし先端にグリップを形成した右アームとからなり、前記左刃と前記右刃をグリーン面のボールマークの周囲に差し込み前記左アームを左方に前記右アームを右方に開くことで芝生を中央に寄せて前記ボールマークを修復することを特徴とするボールマーク修復具の構成とした。
【発明の効果】
【０００８】
本発明は、アームが長いので立ったまま作業することができ、短時間で簡単にボールマークを直すことができる。また、何度か使用して刃が痛んでも刃のみを交換することができるので経済的である。
【０００９】
尚、ゴルフコースにより芝生の状態は異なるし、打球の強さによりボールマークの深さも異なるが、刃を取り替えることで様々な状況に対応することも可能となり、ディボット、ピッチマーク、スパイクの跡などボールマーク以外の修復にも効果的である。
【図面の簡単な説明】
【００１０】
【図１】本発明の実施例１に係るボールマーク修復具の正面図である。
【図２】本発明の実施例１に係るボールマーク修復具の左側面図である。
【図３】本発明の実施例１に係るボールマーク修復具の右側面図である。
【図４】本発明の実施例１に係るボールマーク修復具の平面図である。
【図５】本発明の実施例１に係る支持体の部分を拡大した斜視図である。
【図６】本発明の実施例１に係るボールマーク修復具を中央から切断して右支持体の内側を示した図である。
【図７】本発明の実施例１に係るボールマークの周囲に刃を差し込んだ状態を示す図である。
【図８】本発明の実施例１に係るアームを開いてボールマークを修復した状態を示す図である。
【発明を実施するための形態】
【００１１】
以下、本発明の実施の形態について、詳細に説明する。
【００１２】
本発明の実施例１に係るボールマーク修復具では、中央の取付部と両側に垂設した接続部からなるコの字型の左支持体と、前記左支持体の取付部に複数の差込ピンが下方に突出するように押さえ板で固定した左刃と、前記左支持体に対向させた中央の取付部と両側に垂設した接続部からなるコの字型の右支持体と、前記右支持体の取付部に複数の差込ピンが下方に突出するように押さえ板で固定した右刃と、前記左支持体の接続部と前記右支持体の接続部を一部重ね合わせて回動可能に連結する軸材と、前記左支持体から棒材を上方に延ばし先端にグリップを形成した左アームと、前記右支持体から棒材を上方に延ばし先端にグリップを形成した右アームとからなり、前記左刃と前記右刃をグリーン面のボールマークの周囲に差し込み前記左アームを左方に前記右アームを右方に開くことで芝生を中央に寄せて前記ボールマークを修復することを特徴とする。
【００１３】
また、左支持体と右支持体で囲まれた中央にボールマークの位置を確認するための開口部を形成したことを特徴とする。
【００１４】
本発明の実施例２に係るボールマーク修復具では、実施例１に係るボールマーク修復具において、左刃及び右刃を交換可能に取り付ける、又は左刃及び右刃の突出長を調整可能に取り付けることを特徴とする。
【実施例１】
【００１５】
実施例１に係るボールマーク修復具を説明する。
【００１６】
図１は、本発明の実施例１に係るボールマーク修復具の正面図である。図２は、本発明の実施例１に係るボールマーク修復具の左側面図である。図３は、本発明の実施例１に係るボールマーク修復具の右側面図である。
【００１７】
また、図４は、本発明の実施例１に係るボールマーク修復具の平面図である。図５は、本発明の実施例１に係る支持体の部分を拡大した斜視図である。図６は、本発明の実施例１に係るボールマーク修復具を中央から切断して右支持体の内側を示した図である。
【００１８】
ボールマーク修復具１は、左支持体２、右支持体３、左刃４、右刃５、軸材６、左アーム７、及び右アーム８からなり、左刃４を備え左アーム５の付いた左支持体２と、右刃５を備え右アーム６の付いた右支持体３とを、軸材４で連結する。
【００１９】
左支持体２は、金属板又は樹脂板の両側を折り曲げてコの字型に成形したもので、中央を取付部２ａとし、取付部２ａの両側に垂設された箇所を接続部２ｂとする。
【００２０】
取付部２ａは、内側に左刃４を取り付け、外側に左アーム５を取り付ける部分である。接続部２ｂは、左支持体２と右支持体３を連結する部分であり、先端に向かうにつれて幅を狭くし、先端付近に連結用の穴２ｃを空ける。
【００２１】
右支持体３は、左支持体２と同様に、金属板又は樹脂板の両側を折り曲げてコの字型に成形したもので、中央を取付部３ａとし、取付部３ａの両側に垂設された箇所を接続部３ｂとする。
【００２２】
取付部３ａは、内側に右刃５を取り付け、外側に左アーム６を取り付ける部分である。接続部３ｂは、左支持体２と右支持体３を連結する部分であり、先端に向かうにつれて幅を狭くし、先端付近に連結用の穴３ｃを空ける。
【００２３】
左支持体２と右支持体３とは、一方をコの字状、他方を逆コの字状に対向させ、図４の平面図に示すように、左支持体２の下側の接続部２ｂと右支持体３の下側の接続部３ｂの一部を重ね合わせ、左支持体２の上側の接続部２ｂと右支持体３の上側の接続部３ｂの一部が重ね合わせる。
【００２４】
尚、左支持体２より右支持体３の幅を広くして右支持体３の接続部３ｂが外側になるように重ねても良いし、左支持体２と右支持体３の幅が同じでも上下にずらして重ね合わせれば良い。
【００２５】
図４の平面図で示すように、上から見ると左支持体２と右支持体３で囲まれた中央の開口部６ｅは空いており、ボールマーク９ａの位置を確認することができる。
【００２６】
左刃４は、金属等の先端が尖った針状の差込ピン４ａを複数並べたもので、各差込ピン４ａの尖った側が下方に突出するように取付部２ａの内側に配置し、押さえ板２ｄで押さえて留め具２ｅで留めることにより左支持体２に挟着する。
【００２７】
右刃５は、金属等の先端が尖った針状の差込ピン５ａを複数並べたもので、各差込ピン５ａの尖った側が下方に突出するように取付部３ａの内側に配置し、押さえ板３ｄで押さえて留め具３ｅで留めることにより右支持体３に挟着する。
【００２８】
押さえ板２ｄ、３ｄは、左刃４及び右刃５を地面に刺して回動させた際に、差込ピン４ａ、５ａが折れ曲がらないように、サイズや位置を調整して左支持体２及び右支持体３に固定する。
【００２９】
軸材６は、ボルト６ａと内ナット６ｂ及び外ナット６ｃを用いて、左支持体２と右支持体３とを回動可能に連結する部材である。
【００３０】
接続部２ｂに空けた穴２ｃの位置と接続部３ｂに空けた穴３ｃの位置を合わせてボルト６ａを貫通させ、ワッシャー６ｄを介した上で、まず内ナット６ｂで左支持体２と右支持体３とが回動できる程度で締め付け、次に外ナット６ｃで内ナット６ｂが緩まないように強く締め付ける。
【００３１】
尚、内ナット６ｂと外ナット６ｃによるハードロックではなく、図６に示すように、段付ネジにして緩みにくい締め付けを実現することも可能である。
【００３２】
左アーム７は、取付部２ａに接着した金属又は樹脂製の棒材７ａを上方に延ばし、先端にゴム等の樹脂を手前側に湾曲させて手で握るためのグリップ７ｂを設けたものであり、左支持体２を開閉させる。
【００３３】
右アーム８は、取付部３ａに接着した金属又は樹脂製の棒材８ａを上方に延ばし、先端にゴム等の樹脂を手前側に湾曲させて手で握るためのグリップ８ｂを設けたものであり、右支持体３を開閉させる。
【００３４】
左アーム７及び右アーム８は、立った姿勢でグリップ７ｂ及びグリップ８ｂを握ったときに、左刃４及び右刃５が芝生９に届く程度の長さにし、腰を屈めずに作業をすることができるようにする。
【００３５】
図７は、本発明の実施例１に係るボールマークの周囲に刃を差し込んだ状態を示す図である。図８は、本発明の実施例１に係るアームを開いてボールマークを修復した状態を示す図である。
【００３６】
左アーム７と右アーム８を立てて左刃４と右刃５が芝生９に対して垂直になるようにし、開口部６ｅを覗いてボールマーク９ａの位置を確認しながら、左手でグリップ７ａを握り、右手でグリップ８ａを握って下方に押すことで、ボールマーク９ａの周りに左刃４と右刃５を差し込む。
【００３７】
左アーム７を左方に開き、右アーム８を右方に開くことで、左刃４と右刃５がボールマーク９ａの中央に芝生９を寄せることで、ボールマーク９ａが埋められ、盛り上がり９ｂが生じる。
【００３８】
最後に、左アーム７及び右アーム８を持ち上げて左刃４及び右刃５を抜き取り、盛り上がり９ｂをパターの背の部分などで叩いて平らにすることで、ボールマーク９ａを修復することができる。
【００３９】
尚、ボールマーク９ａの左右側から修復した後、ボールマーク９ａの上下側から修復することにより、より平らに修復することもできる。
【実施例２】
【００４０】
実施例２に係るボールマーク修復具を説明する。
【００４１】
左刃４及び右刃５は、交換可能に取り付けられており、差込ピン４ａ、５ａが折れたり劣化した場合や、芝生９の状態により差込ピン４ａ、５ａの径や硬さを変更したい場合に交換することができる。
【００４２】
留め具２ｅを緩めて押さえ板２ｄによる挟着を解除すれば、左刃４を容易に着脱することができ、また、留め具３ｅを緩めて押さえ板３ｄによる挟着を解除すれば、右刃５を容易に着脱することができる。
【００４３】
同様に、留め具２ｅ、３ｅを緩めて押さえ板２ｄ、３ｄによる挟着を解除すれば、左刃４又は右刃５の突出長（通常は約１５ミリメートルが好ましい）を調整することも可能である。
【符号の説明】
【００４４】
１        ボールマーク修復具
２        左支持体
２ａ      取付部
２ｂ      接続部
２ｃ      貫通孔
２ｄ      押さえ板
２ｅ      留め具
３        右支持体
３ａ      取付部
３ｂ      接続部
３ｃ      貫通孔
３ｄ      押さえ板
３ｅ      留め具
４        左刃
４ａ      差込ピン
５        右刃
５ａ      差込ピン
６        軸材
６ａ      ボルト
６ｂ      内ナット
６ｃ      外ナット
６ｄ      ワッシャー
６ｅ      開口部
６ｆ      段付ネジ
７        左アーム
７ａ      棒材
７ｂ      グリップ
８        右アーム
８ａ      棒材
８ｂ      グリップ
９        芝生
９ａ      ボールマーク
９ｂ      盛り上がり
【先行技術文献】
【特許文献】
【００４５】
【特許文献１】特開２００４−１４１１１１号公報
【図１】
2010172289.tif 000003
【図２】
2010172289.tif 000004
【図３】
2010172289.tif 000005
【図４】
2010172289.tif 000006
【図５】
2010172289.tif 000007
【図６】
2010172289.tif 000008
【図７】
2010172289.tif 000009
【図８】
2010172289.tif 000010